(57)【要約】【課題】EPDCCHsetをPDSCHにも柔軟に利用することを図る。【解決手段】１サブフレーム内の無線リソース領域でPDSCHと多重されるEPDCCHに対する所要PRB数推定値を算出する所要PRB数推定部１２と、前記無線リソース領域のうち所定の複数のEPDCCHsetの中から前記算出された所要PRB数推定値を満たすようにEPDCCHsetを選択するEPDCCHset選択部１３と、前記無線リソース領域のうち前記選択されたEPDCCHset以外の無線リソース領域から、PDSCHに対する無線リソースの割り当てを行うPDSCH割当部１４と、を備えたことを特徴とする。【選択図】図１
2014096658.tif 000002
【特許請求の範囲】
【請求項１】
無線リソースの割り当てを行う無線リソース割当装置において、
特定の無線リソース領域でデータチャネルと多重される制御チャネルに対する所要無線リソース量推定値を算出する所要無線リソース量推定部と、
前記特定の無線リソース領域のうち所定の複数の制御チャネル割当可能無線リソース領域の中から、前記算出された所要無線リソース量推定値を満たすように、制御チャネル割当可能無線リソース領域を選択する制御チャネル割当可能無線リソース領域選択部と、
前記特定の無線リソース領域のうち前記選択された制御チャネル割当可能無線リソース領域以外の無線リソース領域から、前記データチャネルに対する無線リソースの割り当てを行う割当部と、
を備えたことを特徴とする無線リソース割当装置。
【請求項２】
前記所要無線リソース量推定部は、前記特定の無線リソース領域で既に前記制御チャネルに割り当てた無線リソース量に基づいて、所要無線リソース量推定値を更新し、
前記制御チャネル割当可能無線リソース領域選択部は、前記更新前の所要無線リソース量推定値と前記更新後の所要無線リソース量推定値と既に前記制御チャネルに割り当てた制御チャネル割当可能無線リソース領域に基づいて、前記選択した制御チャネル割当可能無線リソース領域を更新し、
前記割当部は、前記特定の無線リソース領域のうち、前記更新後の選択された制御チャネル割当可能無線リソース領域以外の無線リソース領域から、前記データチャネルに対する無線リソースの割り当てを行う、
ことを特徴とする請求項１に記載の無線リソース割当装置。
【請求項３】
前記所要無線リソース量推定部は、前記制御チャネルに割り当てた無線リソース量の履歴に基づいて、所要無線リソース量推定値を算出することを特徴とする請求項１又は２に記載の無線リソース割当装置。
【請求項４】
前記制御チャネル割当可能無線リソース領域選択部は、各制御チャネル割当可能無線リソース領域における無線リソース単位あたりの最大収容移動局数に基づいて、制御チャネル割当可能無線リソース領域の選択を行うことを特徴とする請求項１から３のいずれか１項に記載の無線リソース割当装置。
【請求項５】
前記制御チャネル割当可能無線リソース領域選択部は、各制御チャネル割当可能無線リソース領域の割当可能移動局数に基づいて、制御チャネル割当可能無線リソース領域の選択を行うことを特徴とする請求項１から３のいずれか１項に記載の無線リソース割当装置。
【請求項６】
前記制御チャネルは前記データチャネルと周波数多重されることを特徴とする請求項１から５のいずれか１項に記載の無線リソース割当装置。
【請求項７】
下りリンクの無線リソースの割り当てを行うことを特徴とする請求項１から６のいずれか１項に記載の無線リソース割当装置。
【請求項８】
無線リソースの割り当てを行う無線リソース割当方法であって、
特定の無線リソース領域でデータチャネルと多重される制御チャネルに対する所要無線リソース量推定値を算出する所要無線リソース量推定ステップと、
前記特定の無線リソース領域のうち所定の複数の制御チャネル割当可能無線リソース領域の中から、前記算出された所要無線リソース量推定値を満たすように、制御チャネル割当可能無線リソース領域を選択する制御チャネル割当可能無線リソース領域選択ステップと、
前記特定の無線リソース領域のうち前記選択された制御チャネル割当可能無線リソース領域以外の無線リソース領域から、前記データチャネルに対する無線リソースの割り当てを行う割当ステップと、
を含むことを特徴とする無線リソース割当方法。
【請求項９】
無線リソースの割り当てを行う無線リソース割当処理を行うためのコンピュータプログラムであって、
特定の無線リソース領域でデータチャネルと多重される制御チャネルに対する所要無線リソース量推定値を算出する所要無線リソース量推定ステップと、
前記特定の無線リソース領域のうち所定の複数の制御チャネル割当可能無線リソース領域の中から、前記算出された所要無線リソース量推定値を満たすように、制御チャネル割当可能無線リソース領域を選択する制御チャネル割当可能無線リソース領域選択ステップと、
前記特定の無線リソース領域のうち前記選択された制御チャネル割当可能無線リソース領域以外の無線リソース領域から、前記データチャネルに対する無線リソースの割り当てを行う割当ステップと、
をコンピュータに実行させるためのコンピュータプログラム。
【発明の詳細な説明】
【技術分野】
【０００１】
本発明は、無線リソース割当装置、無線リソース割当方法およびコンピュータプログラムに関する。
【背景技術】
【０００２】
3GPP（3rd Generation Partnership Project）では、LTE（Long Term Evolution）と呼ばれる無線インタフェース仕様の標準化作業が行われている。そのLTEのうち「LTE Rel.11」において、従前の「LTE Rel.10」までで使用されていた下り制御チャネル（PDCCH：Physical Downlink Control Channel）に加えて、制御領域の干渉回避および容量拡張を目的として、高度化した下り制御チャネル（EPDCCH: Enhanced Physical Downlink Control Channel）が追加された。
【０００３】
図６は、「LTE Rel.11」の下りリンクフレームの概略構成図である。図７は、「LTE Rel.11」の下りリンクフレームにおける、ある１サブフレームの構成例である。図６において、PDCCHは、下りデータチャネル（PDSCH：Physical Downlink Shared Channel）と時間多重される。一方、EPDCCHはPDSCHと周波数多重される。また、図７に例示されるように、基地局は、EPDCCHを割当可能な無線リソース領域（以下、EPDCCHsetと称する）をあらかじめ設定し、移動局にEPDCCHsetを通知する。EPDCCHsetは、一つ又は複数のPRB（Physical Resource Block）から構成される。PRBは、無線リソース単位の一つである。
【０００４】
EPDCCHの送信方法には、連続的な無線リソースを用いる「Localized EPDCCH」と、離散的な無線リソースを用いる「Distributed EPDCCH」の２通りが存在する。このため、EPDCCHsetにも、「Localized EPDCCH」を割り当てるためのEPDCCHsetと、「Distributed EPDCCH」を割り当てるためのEPDCCHsetとが存在する。但し、両EPDCCHsetの合計数は規定されているが、その内訳は規定されていない。
【先行技術文献】
【非特許文献】
【０００５】
【非特許文献１】3GPP, RAN1 Chairman’s Notes, RAN1#69.
【発明の概要】
【発明が解決しようとする課題】
【０００６】
しかし、従来の無線リソース割当技術では、以下に示す課題がある。通常、LTEでは、無線リソースの節約のために、基地局から移動局へ通知したEPDCCHsetはできるだけ変更せずに、基地局の無線スケジューラが１msオーダーで、EPDCCHsetへEPDCCHを割り当ててPDSCHと周波数多重している。ここで、EPDCCHsetをEPDCCH専用とすると、未使用のEPDCCHsetまでもPDSCHを割り当てできなくなるので、無線リソースの有効利用の妨げになる。「LTE Rel.11」では、EPDCCHsetのうちEPDCCHを割り当てないものにはPDSCHを割り当てることができるので、無線リソースの有効利用の観点から、EPDCCHsetをEPDCCH専用とすることは好ましくない。
【０００７】
本発明は、このような事情を考慮してなされたもので、EPDCCHsetをPDSCHにも柔軟に利用することができる無線リソース割当装置、無線リソース割当方法およびコンピュータプログラムを提供することを課題とする。
【課題を解決するための手段】
【０００８】
上記の課題を解決するために、本発明に係る無線リソース割当装置は、無線リソースの割り当てを行う無線リソース割当装置において、特定の無線リソース領域でデータチャネルと多重される制御チャネルに対する所要無線リソース量推定値を算出する所要無線リソース量推定部と、前記特定の無線リソース領域のうち所定の複数の制御チャネル割当可能無線リソース領域の中から、前記算出された所要無線リソース量推定値を満たすように、制御チャネル割当可能無線リソース領域を選択する制御チャネル割当可能無線リソース領域選択部と、前記特定の無線リソース領域のうち前記選択された制御チャネル割当可能無線リソース領域以外の無線リソース領域から、前記データチャネルに対する無線リソースの割り当てを行う割当部と、を備えたことを特徴とする。
【０００９】
本発明に係る無線リソース割当装置において、前記所要無線リソース量推定部は、前記特定の無線リソース領域で既に前記制御チャネルに割り当てた無線リソース量に基づいて、所要無線リソース量推定値を更新し、前記制御チャネル割当可能無線リソース領域選択部は、前記更新前の所要無線リソース量推定値と前記更新後の所要無線リソース量推定値と既に前記制御チャネルに割り当てた制御チャネル割当可能無線リソース領域に基づいて、前記選択した制御チャネル割当可能無線リソース領域を更新し、前記割当部は、前記特定の無線リソース領域のうち、前記更新後の選択された制御チャネル割当可能無線リソース領域以外の無線リソース領域から、前記データチャネルに対する無線リソースの割り当てを行う、ことを特徴とする。
【００１０】
本発明に係る無線リソース割当装置において、前記所要無線リソース量推定部は、前記制御チャネルに割り当てた無線リソース量の履歴に基づいて、所要無線リソース量推定値を算出することを特徴とする。
【００１１】
本発明に係る無線リソース割当装置において、前記制御チャネル割当可能無線リソース領域選択部は、各制御チャネル割当可能無線リソース領域における無線リソース単位あたりの最大収容移動局数に基づいて、制御チャネル割当可能無線リソース領域の選択を行うことを特徴とする。
【００１２】
本発明に係る無線リソース割当装置において、前記制御チャネル割当可能無線リソース領域選択部は、各制御チャネル割当可能無線リソース領域の割当可能移動局数に基づいて、制御チャネル割当可能無線リソース領域の選択を行うことを特徴とする。
【００１３】
本発明に係る無線リソース割当装置において、前記制御チャネルは前記データチャネルと周波数多重されることを特徴とする。
【００１４】
本発明に係る無線リソース割当装置においては、下りリンクの無線リソースの割り当てを行うことを特徴とする。
【００１５】
本発明に係る無線リソース割当方法は、無線リソースの割り当てを行う無線リソース割当方法であって、特定の無線リソース領域でデータチャネルと多重される制御チャネルに対する所要無線リソース量推定値を算出する所要無線リソース量推定ステップと、前記特定の無線リソース領域のうち所定の複数の制御チャネル割当可能無線リソース領域の中から、前記算出された所要無線リソース量推定値を満たすように、制御チャネル割当可能無線リソース領域を選択する制御チャネル割当可能無線リソース領域選択ステップと、前記特定の無線リソース領域のうち前記選択された制御チャネル割当可能無線リソース領域以外の無線リソース領域から、前記データチャネルに対する無線リソースの割り当てを行う割当ステップと、を含むことを特徴とする。
【００１６】
本発明に係るコンピュータプログラムは、無線リソースの割り当てを行う無線リソース割当処理を行うためのコンピュータプログラムであって、特定の無線リソース領域でデータチャネルと多重される制御チャネルに対する所要無線リソース量推定値を算出する所要無線リソース量推定ステップと、前記特定の無線リソース領域のうち所定の複数の制御チャネル割当可能無線リソース領域の中から、前記算出された所要無線リソース量推定値を満たすように、制御チャネル割当可能無線リソース領域を選択する制御チャネル割当可能無線リソース領域選択ステップと、前記特定の無線リソース領域のうち前記選択された制御チャネル割当可能無線リソース領域以外の無線リソース領域から、前記データチャネルに対する無線リソースの割り当てを行う割当ステップと、をコンピュータに実行させるためのコンピュータプログラムであることを特徴とする。
【発明の効果】
【００１７】
本発明によれば、EPDCCHsetをPDSCHにも柔軟に利用することができるという効果が得られる。
【図面の簡単な説明】
【００１８】
【図１】本発明の一実施形態に係る基地局装置１の概略構成図である。
【図２】本発明に係る無線リソース割当処理の実施例１のフローチャートである。
【図３】所要ECCE数表１００の構成例である。
【図４】EPDCCHsetの順位付け結果の例である。
【図５】本発明に係る無線リソース割当処理の実施例２のフローチャートである。
【図６】「LTE Rel.11」の下りリンクフレームの概略構成図である。
【図７】「LTE Rel.11」の下りリンクフレームにおける、ある１サブフレームの構成例である。
【発明を実施するための形態】
【００１９】
以下、図面を参照し、本発明の実施形態について説明する。本実施形態では、「LTE Rel.11」を前提とする。図１は、本実施形態に係る基地局装置１の概略構成図である。図１において、基地局装置１は、無線リソース割当部２とベースバンド部３とＲＦ部４とアンテナ５を備える。無線リソース割当部２は、下りリンクフレームにおける無線リソースの割り当てを行う。ベースバンド部３は、無線リソース割当部２による無線リソース割当結果に従って、下りリンクフレームをベースバンドで構成する。ＲＦ部４は、ベースバンド部３により構成された下りリンクフレームをアンテナ５から無線送信する。
【００２０】
無線リソース割当部２は、入力部１１と所要PRB数推定部１２とEPDCCHset選択部１３とPDSCH割当部１４とEPDCCH割当部１５と記憶部１６と出力部１７を備える。各部１１から１５はデータを送受できるように接続されている。入力部１１は、無線リソース割当処理に使用されるデータを入力する。所要PRB数推定部１２は、所要PRB数の推定値（所要PRB数推定値）を算出する。所要PRB数は、ある１サブフレームにおいてEPDCCHに必要なPRB数である。
【００２１】
EPDCCHset選択部１３は、所定の複数のEPDCCHsetの中から、所要PRB数推定値を満たすように、一つ又は複数のEPDCCHsetを選択する。PDSCH割当部１４は、PDSCHを割当可能な無線リソースに対して、PDSCHの割り当てを行う。本実施形態では、PDSCHを割当可能な無線リソースは、１サブフレームにおいて、EPDCCH及びPDSCHを割当可能な無線リソース領域のうち、EPDCCHset以外の無線リソースと、未使用のEPDCCHsetとである。
【００２２】
EPDCCH割当部１５は、EPDCCHsetのうちEPDCCHset選択部１３により選択されたEPDCCHsetに対して、EPDCCHの割り当てを行う。記憶部１６は、無線リソース割当処理に係るデータを格納する。出力部１７は、無線リソース割当結果の情報を出力する。
【００２３】
以下、実施例を挙げて本実施形態に係る無線リソース割当部２が行う無線リソース割当処理を説明する。なお、本実施例では次の事項を前提とする。
【００２４】
あらかじめ設定されるEPDCCHset数は、「LTE Rel.11」で規定される最大値である。EPDCCHsetの内訳は任意に設定可能である。各EPDCCHsetを構成するPRB数は異なっていてもよい。例えば、「Distributed EPDCCH」用のEPDCCHset数の最大値を１として、該EPDCCHsetを構成するPRB数をPDCCHと同等の移動局数を収容できるように設定してもよい。PDSCHに係る制御情報は全てEPDCCHで送信される。例えば、「LTE Rel.11」で定義される、PDCCH領域を設けない「New Carrier Type」の無線リソース構成を用いるとする。各EPDCCHsetは互いに重複しない。
【実施例１】
【００２５】
図２は本発明に係る無線リソース割当処理の実施例１のフローチャートである。図２を参照して、実施例１に係る無線リソース割当部２の動作を説明する。
【００２６】
無線リソース割当部２は、ある１サブフレーム（対象サブフレーム）に対するスケジューリングタイミングになると、図２の無線リソース割当処理を開始する。
【００２７】
（ステップＳ１）
所要PRB数推定部１２は、式（１）により、対象サブフレームに対する所要PRB数推定値を算出する。
【００２８】
【数１】
2014096658.tif 000003
【００２９】
但し、NPRB_requiredは所要PRB数推定値である。ALaveは、無線リソース割当対象の全移動局を対象にした平均割当アグリゲーションレベルである。平均割当アグリゲーションレベルは、対象の移動局に対して過去に割り当てられたアグリゲーションレベル（Aggregation Level）の平均値である。アグリゲーションレベルは、EPDCCHの割り当てに要するECCE（Enhanced Control Channel Element）数である。ECCEは、無線リソース単位の一つであって、無線リソース割当の最小単位を複数集めたものであり、EPDCCHの最小割当単位である。NaverageUEは平均割当移動局数である。平均割当移動局数は、１スケジューリングタイミング当たりの、無線リソースが割り当てられた移動局の数の平均値である。NECCEは１PRB当たりのECCE数である。本実施形態に係る「LTE Rel.11」では、NECCEは４である。
【００３０】
所要PRB数推定部１２は、移動局に対する無線リソース割当結果を記憶部１６に格納しておき、この過去の無線リソース割当結果を用いて平均割当アグリゲーションレベルALaveおよび平均割当移動局数NaverageUEを算出する。NECCEは予め設定される。無線リソース割当対象の移動局の情報は入力部１１により入力される。
【００３１】
（ステップＳ２）
EPDCCHset選択部１３は、対象サブフレームにおける所定の複数のEPDCCHsetの中から、ステップＳ１で算出された所要PRB数推定値を満たすように、EPDCCHsetを選択する。例えば、図７の例では６個のEPDCCHset＃0〜5が予め設定されており、この６個のEPDCCHset＃0〜5の中から、所要PRB数推定値を満たすように、EPDCCHsetを選択する。以下に、EPDCCHset選択方法の例を説明する。
【００３２】
所定の複数のEPDCCHsetの情報は入力部１１により入力される。まず、EPDCCHset選択部１３は、図３に例示される所要ECCE数表１００を作成する。所要ECCE数表１００は、各EPDCCHsetに対して、無線リソース割当対象の各移動局の所要ECCE数が記載されたものである。ある移動局に関するEPDCCHset毎の所要ECCE数は、当該移動局からフィードバックされる受信品質情報および当該移動局固有のEPDCCH割当可能領域に基づいて求められる。移動局固有のEPDCCH割当可能領域は、当該移動局に対してEPDCCHを割り当て可能なEPDCCHsetである。
【００３３】
次いで、EPDCCHset選択部１３は、所要ECCE数表１００に基づいて、EPDCCHset毎に1PRB当たりの最大収容移動局数を算出する。例えば、1EPDCCHsetを構成するPRB数を1とした場合、本実施形態に係る「LTE Rel.11」では１PRB当たりのECCE数NECCEは４であるので、1EPDCCHsetは4ECCEで構成される。そして、図３の例において、例えばEPDCCHset＃2では、4ECCEで収容できる移動局の組合せのうち移動局数が最大であるのは、「移動局＃A，＃G，＃B」、「移動局＃A，＃G，＃H」又は「移動局＃A，＃G，＃I」の３通りの組合せがあって、その最大収容移動局数は３である。
【００３４】
次いで、EPDCCHset選択部１３は、1PRB当たりの最大収容移動局数の降順で、EPDCCHsetを順位付けする。この結果、1PRB当たりの最大収容移動局数が同じEPDCCHsetが複数ある場合には、1PRB当たりの最大収容移動局数が同じEPDCCHsetに対して、1EPDCCHset当たりの割当可能移動局数の降順でさらに順位付けする。図３の例において、例えばEPDCCHset＃2，＃4はともに、1PRB当たりの最大収容移動局数が３である。そして、EPDCCHset＃2の割当可能移動局数は６であり、EPDCCHset＃4の割当可能移動局数は５であるので、EPDCCHset＃2をEPDCCHset＃4よりも上位とする。この結果、図３の例（但し、1EPDCCHset当りのPRB数は1である）では、図４（ａ）のように順位付けされる。
【００３５】
次いで、EPDCCHset選択部１３は、EPDCCHsetの順位に従って、所要PRB数推定値を満たすように、上位のEPDCCHsetから順番にEPDCCHsetを選択する。例えば、所要PRB数推定値が４である場合、図４（ａ）（全EPDCCHsetはPRB数が1である）の順位に従って、EPDCCHset＃1から＃4までを選択する。また、他のEPDCCHsetの例として図４（ｂ）では、所要PRB数推定値が４である場合、その順位に従って、EPDCCHset＃1，＃2，＃4までを選択する。EPDCCHset選択部１３は、選択したEPDCCHsetの情報（EPDCCHset選択情報）を記憶部１６に格納する。
【００３６】
説明を図２に戻す。
（ステップＳ３）
PDSCH割当部１４は、対象サブフレームにおいてPDSCHを割当可能な無線リソース領域のうち、ステップＳ２で選択されたEPDCCHset以外の無線リソース領域から、移動局に対するPDSCHの仮割当を行う。PDSCH割当部１４は、このPDSCHの仮割当結果の情報（PDSCH仮割当情報）を記憶部１６に格納する。
【００３７】
（ステップＳ４）
EPDCCH割当部１５は、PDSCH仮割当情報に基づいて、PDSCHが仮割当された移動局に対し、ステップＳ２で選択されたEPDCCHsetによりEPDCCHを割り当てできるかを判断する。この結果、EPDCCHの割当が可能である場合にはステップＳ５に進む。一方、EPDCCHの割当が不可能である場合にはステップＳ３に戻り、PDSCHの割り当てをやり直す。
【００３８】
（ステップＳ５）
EPDCCH割当部１５は、EPDCCHset選択情報に基づいて、PDSCHが仮割当された移動局に対し、EPDCCHを割り当てる。EPDCCH割当部１５は、割り当てたEPDCCHの情報（EPDCCH割当情報）を記憶部１６に格納する。
【００３９】
（ステップＳ６）
PDSCH割当部１４は、PDSCH仮割当情報に基づいて、仮割当のPDSCHを確定する。PDSCH割当部１４は、確定したPDSCHの情報（PDSCH確定情報）を記憶部１６に格納する。
【００４０】
（ステップＳ７）
PDSCH割当部１４は、対象サブフレームにおいて、まだPDSCHを割当可能な無線リソースがあるかを判断する。この結果、PDSCHを割当可能な無線リソースがある場合にはステップＳ３に戻る。一方、PDSCHを割当可能な無線リソースがない場合にはステップＳ８に進む。
【００４１】
（ステップＳ８）
出力部１７は記憶部１６に格納されるPDSCH確定情報およびEPDCCH割当情報を出力する。この後、図２の処理を終了する。
【００４２】
本実施例１によれば、所要PRB数推定値を算出し、この所要PRB数推定値に基づいて必要なEPDCCHsetを選択することにより、それ以外のEPDCCHsetの無線リソースをPDSCHに利用することができる。これにより、EPDCCHsetをPDSCHにも柔軟に利用することが可能となり、無線リソースの有効利用を図ることができる。
【実施例２】
【００４３】
実施例２は実施例１の変形例である。図５は本発明に係る無線リソース割当処理の実施例２のフローチャートである。図５において図２に対応するステップには同一の符号を付している。以下、図５を参照して、実施例２について主に実施例１との差分を説明する。
【００４４】
無線リソース割当部２は、ある１サブフレーム（対象サブフレーム）に対するスケジューリングタイミングになると、図５の無線リソース割当処理を開始する。図５においてステップＳ１からＳ８までは図２の実施例１と同じである。但し、実施例２では、ステップＳ７でPDSCHを割当可能な無線リソースがある場合にはステップＳ１１に進む。
【００４５】
（ステップＳ１１）
所要PRB数推定部１２は、式（２）により、対象サブフレームに対する所要PRB数推定値を算出し、更新する。
【００４６】
【数２】
2014096658.tif 000004
【００４７】
但し、NPRB_requiredは所要PRB数推定値である。ALassignedは、対象サブフレームにおいて既にEPDCCHが割り当てられた移動局（EPDCCH割当済移動局）のアグリゲーションレベルの合計値である。AL’aveは、無線リソース割当対象の全移動局からEPDCCH割当済移動局を除いた移動局を対象にした、平均割当アグリゲーションレベルである。N’averageUEは、無線リソース割当対象の全移動局からEPDCCH割当済移動局を除いた移動局の数である。
【００４８】
所要PRB数推定部１２は、対象サブフレームにおける無線リソース割当結果を記憶部１６に格納しておき、この無線リソース割当結果を用いて、EPDCCH割当済移動局のアグリゲーションレベルの合計値ALassignedおよび移動局数N’averageUEを算出する。また、所要PRB数推定部１２は、移動局に対する無線リソース割当結果を記憶部１６に格納しておき、この過去の無線リソース割当結果およびEPDCCH割当済移動局の情報を用いて、平均割当アグリゲーションレベルAL’aveを算出する。
【００４９】
（ステップＳ１２）
EPDCCHset選択部１３は、EPDCCHの割り当て用に選択するEPDCCHset（所要EPDCCHset）を更新する。以下に、EPDCCHset更新方法の例を説明する。この例では式（３）および式（４）を用いて、所要EPDCCHsetに対するEPDCCHsetの追加または削除を行う。
【００５０】
【数３】
2014096658.tif 000005
【００５１】
【数４】
2014096658.tif 000006
【００５２】
但し、NPRB_required_afterはステップＳ１１で更新した後の所要PRB数推定値NPRB_requiredである。NPRB_required_beforeはステップＳ１１で更新する前の所要PRB数推定値NPRB_requiredである。thresholdは所定値（０以上の整数）である。例えば、「threshold ＝ 0」と設定してもよい。thresholdは、所要EPDCCHsetの充足度合いを制御するためのパラメータであり、任意に設定可能とする。式（３）と式（４）で異なるthresholdを用いてもよい。
【００５３】
EPDCCHset選択部１３は、式（３）が成り立つ場合に、対象サブフレームにおける所定の複数のEPDCCHsetの中で、現時点で所要EPDCCHsetに選択されていないEPDCCHsetのうち最上位のEPDCCHsetを、所要EPDCCHsetに追加する。式（３）が成り立つ場合、更新後の所要PRB数推定値NPRB_requiredは更新前の所要PRB数推定値NPRB_requiredに対してthreshold以上大きい。このため、所要EPDCCHsetを増やし、EPDCCHの割当がより確実にできるようにする。
【００５４】
一方、EPDCCHset選択部１３は、式（４）が成り立つ場合に、現在選択されている所要EPDCCHsetのうち、既に移動局にEPDCCHが割り当てられているEPDCCHset以外であり且つ最下位のEPDCCHsetを、所要EPDCCHsetから削除する。式（４）が成り立つ場合、更新後の所要PRB数推定値NPRB_requiredは更新前の所要PRB数推定値NPRB_requiredに対してthreshold以上小さい。このため、所要EPDCCHsetを減らし、減らした分のEPDCCHsetの無線リソースをPDSCHに割当可能とし、PDSCHに割当可能な無線リソースを増やす。
【００５５】
なお、式（３）および式（４）の両方ともに成り立たない場合には、所要EPDCCHsetの更新を行わない。また、式（３）または式（４）が成り立つ場合であっても、追加または削除することができるEPDCCHsetがない場合には、所要EPDCCHsetの更新を行わない。
【００５６】
EPDCCHset選択部１３は、記憶部１６に格納されているEPDCCHset選択情報に基づいて、現在選択されているEPDCCHsetを認識する。また、EPDCCHset選択部１３は、記憶部１６に格納されているEPDCCH割当情報に基づいて、既に移動局にEPDCCHが割り当てられているEPDCCHsetを認識する。また、EPDCCHset選択部１３は、ステップＳ２でのEPDCCHset順位付け結果の情報を記憶部１６に格納しておき、該EPDCCHset順位付け結果の情報に基づいて各EPDCCHsetの順位を認識する。
【００５７】
なお、上記ステップＳ１１及びＳ１２は、ステップＳ７においてPDSCHを割当可能な無線リソースがある場合に、毎フローで実行してもよく、又は、任意の間隔を置いて実行してもよい。
【００５８】
本実施例１によれば、対象サブフレームにおいて、PDSCHおよびEPDCCHの割当結果を反映させながら所要PRB数推定値を更新し、この更新結果に基づいて所要EPDCCHsetを適宜変更することができる。これにより、EPDCCHsetの無線リソースをPDSCHに利用する上で、その的確性を向上させることができる。
【００５９】
以上、本発明の実施形態について図面を参照して詳述してきたが、具体的な構成はこの実施形態に限られるものではなく、本発明の要旨を逸脱しない範囲の設計変更等も含まれる。
【００６０】
例えば、上述した実施例では、EPDCCHsetの順位付けを行う際に、各移動局のECCE使用indexを考慮していないが、各移動局のECCE使用indexを考慮するようにしてもよい。
【００６１】
また、上述した実施例では、EPDCCHsetの順位付けを行う際に、まず1PRB当たりの最大収容移動局数の降順で順位付けし、この結果、1PRB当たりの最大収容移動局数が同じEPDCCHsetが複数ある場合には、1PRB当たりの最大収容移動局数が同じEPDCCHsetに対して、1EPDCCHset当たりの割当可能移動局数の降順でさらに順位付けしたが、これに限定されない。例えば、先に1EPDCCHset当たりの割当可能移動局数の降順で順位付けし、この結果、1EPDCCHset当たりの割当可能移動局数が同じEPDCCHsetが複数ある場合には、1EPDCCHset当たりの割当可能移動局数が同じEPDCCHsetに対して、1PRB当たりの最大収容移動局数の降順でさらに順位付けするようにしてもよい。
【００６２】
なお、上述した実施形態では、所要無線リソース量推定値として、PRBが無線リソース単位である所要PRB数推定値を用いたが、無線リソース単位は任意に設定することができる。
【００６３】
また、上述した実施形態では「LTE Rel.11」を前提とし、データチャネルとしてPDSCH、制御チャネルとしてEPDCCH、制御チャネル割当可能無線リソース領域としてEPDCCHsetに適用したが、本発明は「LTE Rel.11」に限定されない。例えば、割当対象の無線リソースは、上りリンク（移動局から基地局への方向のリンク）の無線リソースであってもよく、又は、下りリンク（基地局から移動局への方向のリンク）の無線リソースであってもよい。また、割当対象の無線リソースは、時間領域、周波数領域または符号領域など、いずれのリソース領域またはリソース領域の組合せであってもよい。また、データチャネルと制御チャネルの多重方法は、例えば時間多重、周波数多重または符号多重など、いずれの多重方法または多重方法の組合せであってもよい。
【００６４】
また、図２または図５に示す各ステップを実現するためのプログラムをコンピュータ読み取り可能な記録媒体に記録して、この記録媒体に記録されたプログラムをコンピュータシステムに読み込ませ、実行することにより、無線リソース割当処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６６】
１…基地局装置、２…無線リソース割当部（無線リソース割当装置）、１１…入力部、１２…所要PRB数推定部（所要無線リソース量推定部）、１３…EPDCCHset選択部（制御チャネル割当可能無線リソース領域選択部）、１４…PDSCH割当部（割当部）、１５…EPDCCH割当部、１６…記憶部、１７…出力部
【図１】
2014096658.tif 000007
【図２】
2014096658.tif 000008
【図３】
2014096658.tif 000009
【図４】
2014096658.tif 000010
【図５】
2014096658.tif 000011
【図６】
2014096658.tif 000012
【図７】
2014096658.tif 000013